(57)【特許請求の範囲】
【請求項１】
ユーザ装置（ＵＥ）の装置であって、
メモリと処理回路とを有し、
前記処理回路は、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためサブフレームを復号化し、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行し、
前記メモリは前記ＤＣＩを記憶するよう構成される装置。
【請求項２】
前記サブフレームは、２ビットを有するＣＳＩリクエストフィールドに関する値を含み、
前記値は、第１の所定値、第２の所定値、第３の所定値及び第４の所定値の１つである、請求項１記載の装置。
【請求項３】
前記第１の所定値は“００”であり、
前記第２の所定値は“０１”であり、
前記第３の所定値は“１０”であり、
前記第４の所定値は“１１”である、請求項２記載の装置。
【請求項４】
前記処理回路は更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行するよう構成される、請求項１記載の装置。
【請求項５】
前記処理回路は更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩレポートを符号化するよう構成される、請求項４記載の装置。
【請求項６】
ユーザ装置（ＵＥ）の１つ以上のプロセッサに、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためサブフレームを復号化し、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行する、
処理を実行させるプログラム。
【請求項７】
前記サブフレームは、２ビットを有するＣＳＩリクエストフィールドに関する値を含み、
前記値は、第１の所定値、第２の所定値、第３の所定値及び第４の所定値の１つである、請求項６記載のプログラム。
【請求項８】
前記サブフレームは、２ビットを有するＣＳＩリクエストフィールドに関する値を含み、
前記値は“００”、“０１”、“１０”及び“１１”の１つである、請求項６記載のプログラム。
【請求項９】
前記プログラムは更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行する、
処理を前記１つ以上のプロセッサに実行させる、請求項６記載のプログラム。
【請求項１０】
前記プログラムは更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩレポートを符号化する、
処理を前記１つ以上のプロセッサに実行させる、請求項９記載のプログラム。
【請求項１１】
デュアルコネクティビティが設定可能なユーザ装置（ＵＥ）の装置であって、
メモリと処理回路とを有し、
前記処理回路は、
物理アップリンク共有チャネル（ＰＵＳＣＨ）を用いた非周期的なチャネル状態情報（ＣＳＩ）の報告を前記ＵＥに設定するためのダウンリンク制御情報（ＤＣＩ）を復号化し、
マスタｅＮＢ（ＭｅＮＢ）に関するマスタセルグループ（ＭＣＧ）からの無線リソース制御（ＲＲＣ）シグナリングを復号化し、前記ＲＲＣシグナリングはデュアルコネクティビティのセカンダリセルグループ（ＳＣＧ）を前記ＵＥに設定するためのコンフィギュレーション情報を提供し、前記ＵＥが前記ＭＣＧとセカンダリｅＮＢ（ＳｅＮＢ）に関する前記ＳＣＧとの双方の無線リソースを利用することを可能にし、
前記ＭＣＧ及び前記ＳＣＧに対する複数の非周期的ＣＳＩレポートリクエストが１つより多くのＣＳＩレポートをトリガするか判断するためＣＳＩリクエストフィールドに関する値を含むサブフレームを復号化し、前記メモリは前記サブフレームを記憶するよう構成され、
５つ以下のＣＳＩレポートがトリガされるとき、前記トリガされたＣＳＩレポートのそれぞれに対応するＣＳＩプロセスのＣＳＩを更新し、
５つより多くのＣＳＩレポートがトリガされるとき、前記トリガされたＣＳＩレポートの少なくとも５つのＣＳＩプロセスのＣＳＩを更新し、前記ＵＥは複数のセルグループが設定されているとき前記ＣＳＩプロセスの５つより多くのＣＳＩを更新することは必要とされず、
前記ＣＳＩプロセスの更新されたＣＳＩの前記ＰＵＳＣＨ上の送信のためＣＳＩ報告を実行する装置。
【請求項１２】
前記ＣＳＩリクエストフィールドは、２ビットを有し、
前記値は、第１の所定値、第２の所定値、第３の所定値及び第４の所定値の１つである、請求項１１記載の装置。
【請求項１３】
前記第１の所定値は“００”であり、
前記第２の所定値は“０１”であり、
前記第３の所定値は“１０”であり、
前記第４の所定値は“１１”である、請求項１２記載の装置。
【請求項１４】
前記処理回路は更に、
前記複数の非周期的ＣＳＩリクエストにおける前記ＭＣＧからの第１の非周期的ＣＳＩリクエストに対応する第１のＣＳＩ報告を実行し、
前記複数の非周期的ＣＳＩリクエストにおける前記ＳＣＧからの第２の非周期的ＣＳＩリクエストに対応する第２のＣＳＩ報告を実行するよう構成される、請求項１１記載の装置。
【請求項１５】
前記処理回路は更に、
前記ＰＵＳＣＨ上での前記ＭＣＧへの送信のための第１のＣＳＩ報告に対応する第１のＣＳＩレポートを符号化し、
前記ＰＵＳＣＨ上での前記ＳＣＧへの送信のための第２のＣＳＩ報告に対応する第２のＣＳＩレポートを符号化するよう構成される、請求項１４記載の装置。
【請求項１６】
前記処理回路は、
前記ＰＵＳＣＨ上で前記第１のＣＳＩレポートを前記ＭＣＧに送信し、
前記ＰＵＳＣＨ上で前記第２のＣＳＩレポートを前記ＳＣＧに送信するよう構成される、請求項１５記載の装置。
【請求項１７】
請求項６乃至１０何れか一項記載のプログラムを記憶するコンピュータ可読記憶媒体。
【発明の詳細な説明】
【技術分野】
【０００１】
［優先権主張］
本出願は、その各々が参照することによりその全体がここに援用される、２０１４年１１月１８日に出願された米国仮特許出願第６２／０８１，２８１号と、２０１４年１１月２６日に出願された米国仮特許出願第６２／０８４，９９７号とに対する優先権の利益を主張する２０１５年６月１６日に出願された米国特許出願第１４／７４１，２３３号に対する優先権の利益を主張する。
［技術分野］
実施例は、無線アクセスネットワークに関する。いくつかの実施例は、ロング・ターム・エボリューション（ＬＴＥ）及びＬＴＥ  ａｄｖａｎｃｅｄ（ＬＴＥ−Ａ）ネットワークなどのセルラネットワークにおける非周期的チャネル状態情報（ＣＳＩ）の処理及び報告に関する。
【背景技術】
【０００２】
無線ネットワークを介しデータを通信することによる現在の問題は、低いスループット、頻繁なハンドオーバ、ハンドオーバの失敗、不十分なオフロード及びサービス中断を含みうる。
【０００３】
ＬＴＥネットワークにおけるデュアルコネクティビティは、ユーザがマクロ進化型ＮｏｄｅＢ（ｅＮＢ）とスモールセルｅＮＢとを介しマスタセルグループとセカンダリセルグループとに同時に接続することを可能にすることによって、有意にユーザ毎のスループットを改善し、ハンドオーバを減らし、ハンドオーバの失敗を減らすことができる。
【０００４】
低いスループットに関して、デュアルコネクティビティは、少なくとも２つのｅＮＢからの無線リソースを集約することによってユーザ毎のスループットを増加させることができる。さらに、スループットは、複数のストリームを送信又は受信し、複数のセルの最良の無線状態に動的に適応化させることによって増加させることが可能である。また、スモールセルｅＮＢは、複数の無線接続を有するユーザ装置（ＵＥ）に追加的なキャパシティを提供することができる。
【０００５】
さらに、移動するＵＥは、頻繁なハンドオーバの失敗、不十分なオフロード及びサービスの中断を被る。ＵＥの速度がより高く、セルカバレッジがより小さい場合、その結果はより重大である。デュアルコネクティビティは、カバレッジレイヤとしてマクロｅＮＢ（例えば、プライマリセル）接続を維持することによって、ハンドオーバ失敗率を減少させることが可能である。デュアルコネクティビティはまた、マクロｅＮＢとスモールセルｅＮＢ（例えば、セカンダリセル）との間のロードバランシングに役立つ。
【０００６】
さらに、デュアルコネクティビティは、頻繁なハンドオーバのためにコアネットワークに対するシグナリングオーバヘッドを減少させることが可能である。例えば、シグナリングオーバヘッドは、ＵＥがマクロカバレッジの範囲内にある限り、ハンドオーバ処理を起動しないことによって減少可能である。
【０００７】
しかしながら、デュアルコネクティビティは複数の技術的チャレンジを課しうる。
【図面の簡単な説明】
【０００８】
【図１】図１は、いくつかの実施例による第三世代パートナーシッププロジェクト（３ＧＰＰ）ネットワークの機能図である。
【図２】図２は、いくつかの実施例によるユーザ装置（ＵＥ）の機能図である。
【図３】図３は、いくつかの実施例による進化型ＮｏｄｅＢ（ｅＮＢ）の機能図である。
【図４】図４は、いくつかの実施例によるデュアルコネクティビティの実現のためのヘテロジニアスネットワークの具体例を示す。
【図５】図５は、いくつかの実施例によるデュアルコネクティビティの実現の一例となるシナリオを示す。
【図６】図６は、いくつかの実施例によるＣＳＩプロセス計算を優先順位付けするのに使用されるチャネル状態情報（ＣＳＩ）属性の具体例を示す。
【図７】図７は、同一サブフレームにおいて受信される２つのＣＳＩ非周期的リクエストに基づきＣＳＩレポートの優先順位付けされたＣＳＩプロセスを計算するためＵＥによって実行される方法の処理を示す。
【図８】図８は、いくつかの実施例によるＵＥから受信されたＣＳＩレポートに基づき送信モードを選択するためｅＮＢによって実行される方法の処理を示す。
【発明を実施するための形態】
【０００９】
以下の説明及び図面は、当業者が実施することが可能になるのに十分に特定の実施例を示す。他の実施例は、構成的、論理的、電気的処理及び他の変更を含むものであってもよい。いくつかの実施例の部分及び特徴は、他の実施例のものに含まれてもよいし、あるいは置換されてもよい。請求項に提供される実施例は、これらの請求項の全ての利用可能な均等を含む。
【００１０】
本開示では、実施例はマクロｅＮＢとスモールセルｅＮＢとを参照してしばしば説明される。スモールセルｅＮＢはピコｅＮＢとすることができる。さらに、ここに開示される各種実施例は、他の設定において他の用語によって適用可能である。例えば、マクロｅＮＢは、“アンカｅＮＢ”、“プライマリｅＮＢ”又は“マスタｅＮＢ”として示すことが可能であり、スモールセルｅＮＢは、“支援ｅＮＢ”、“セカンダリｅＮＢ”又は“スレーブｅＮＢ”として示すことができる。
【００１１】
図１は、いくつかの実施例による３ＧＰＰネットワークの機能図である。ネットワークは、Ｓ１インタフェース１１５を介し一緒に結合される無線アクセスネットワーク（ＲＡＮ）（例えば、図示されるように、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）など）１００とコアネットワーク１２０（例えば、ＥＰＣ（Ｅｖｏｌｖｅｄ  Ｐａｃｋｅｔ  Ｃｏｒｅ）として示される）とを有する。便宜上簡単化のため、ＲＡＮ１００と共にコアネットワーク１２０の一部のみが示される。
【００１２】
コアネットワーク１２０は、モビリティ・マネージメント・エンティティ（ＭＭＥ）１２２、サービングゲートウェイ（ｓｅｒｖｉｎｇ  ＧＷ）１２４及びパケットデータネットワークゲートウェイ（ＰＤＮ  ＧＷ）１２６を有する。ＲＡＮ１００は、ユーザ装置（ＵＥ）１０２と通信するｅＮＢ（Ｅｖｏｌｖｅｄ−ＮｏｄｅＢ）１０４（基地局として動作可能である）を有する。ｅＮＢ１０４は、マクロｅＮＢと、ミクロｅＮＢなどの低パワー（ＬＰ）ｅＮＢとを含みうる。
【００１３】
ＭＭＥ１２２は、従来のＳＧＳＮ（Ｓｅｒｖｉｎｇ  ＧＰＲＳ  Ｓｕｐｐｏｒｔ  Ｎｏｄｅ）の制御プレーンと機能的に同様である。ＭＭＥ１２２は、ゲートウェイ選択及びトラッキングエリアリストマネージメントなどのアクセスにおけるモビリティの観点を管理する。サービングＧＷ１２４は、ＲＡＮ１００に対するインタフェースを終端化し、ＲＡＮ１００とコアネットワーク１２０との間でデータパケットをルーティングする。さらに、サービングＧＷ１２４は、ｅＮＢ間ハンドオーバのためのローカルモビリティアンカポイントであってもよく、また３ＧＰＰ間モビリティのアンカを提供してもよい。他の責任は、合法的な傍受、課金及びポリシー実施を含んでもよい。サービングＧＷ１２４及びＭＭＥ１２２は、１つの物理ノード又は別々の物理ノードにおいて実現されてもよい。ＰＤＮ  ＧＷ１２６は、パケットデータネットワーク（ＰＤＮ）に対するＳＧｉインタフェースを終端する。ＰＤＮ  ＧＷ１２６は、コアネットワーク１２０と外部ＰＤＮとの間でデータパケットをルーティングし、ポリシー実施及び課金データ収集のためのキーノードであってもよい。それはまた、非ＬＴＥアクセスとのモビリティのためのアンカポイントを提供可能である。外部ＰＤＮは、ＩＭＳ（ＩＰ  Ｍｕｌｔｉｍｅｄｉａ  Ｓｕｂｓｙｓｔｅｍ）ドメインと共に何れかのタイプのＩＰネットワークとすることができる。ＰＤＮ  ＧＷ１２６及びサービングＧＷ１２４は、１つの物理ノード又は別々の物理ノードにおいて実現されてもよい。
【００１４】
ｅＮＢ１０４（マクロ及びマイクロ）は、無線インタフェースプロトコルを終端し、ＵＥ１０２の最初の接触ポイントであってもよい。いくつかの実施例では、ｅＮＢ１０４は、限定することなく、無線ベアラ管理、アップリンク及びダウンリンク動的無線リソース管理及びデータパケットスケジューリング、並びにモビリティ管理などのＲＮＣ（Ｒａｄｉｏ  Ｎｅｔｗｏｒｋ  Ｃｏｎｔｒｏｌｌｅｒ）を含む、ＲＡＮ１００のための各種論理機能を実現可能である。実施例によると、ＵＥ１０２は、直交周波数分割多重接続（ＯＦＤＭＡ）通信技術に従ってマルチキャリア通信チャネルを介しｅＮＢ１０４と直交周波数分割多重（ＯＦＤＭ）通信信号を通信するよう構成されてもよい。ＯＦＤＭ信号は、複数の直交サブキャリアを有してもよい。
【００１５】
Ｓ１インタフェース１１５は、ＲＡＮ１００とコアネットワーク１２０とを分離するインタフェースである。それは、ｅＮＢ１０４とサービングＧＷ１２４との間でデータトラフィックを搬送するＳ１−ＭＭＥと、ｅＮＢ１０４とＭＭＥ１２２との間のシグナリングインタフェースであるＳ１−ＭＭＥとの２つの部分に分割される。Ｘ２インタフェースは、ｅＮＢ１０４の間のインタフェースである。Ｘ２インタフェースは、Ｘ２−Ｃ及びＸ２−Ｕの２つの部分を含む。Ｘ２−ＣはｅＮＢ１０４の間の制御プレーンインタフェースであり、Ｘ２−ＵはｅＮＢ１０４の間のユーザプレーンインタフェースである。
【００１６】
セルラネットワークでは、ＬＰセルは、典型的には、屋外信号が良好には届かない屋内エリアにカバレッジを拡大するか、又は電車の駅などの大変密な電話利用を有するエリアにおいてネットワーク容量を追加するのに利用される。ここに使用される“低パワー（ＬＰ）ｅＮＢ”という用語は、フェムトセル、ピコセル又はマイクロセルなどのより狭いセル（マイクロセルより狭い）を実現するのに適した何れかの相対的に低いパワーのｅＮＢを表す。フェムトセルｅＮＢは、典型的には、モバイルネットワークオペレータによって住居又は企業顧客に提供される。フェムトセルは、典型的には、住居用ゲートウェイ又はより小さなサイズであり、一般にユーザのブロードバンドラインに接続する。プラグインされると、フェムトセルは、モバイルオペレータのモバイルネットワークに接続し、住居用フェムトセルのために典型的な３０〜５０メータの範囲の追加的なカバレッジを提供する。従って、ＬＰ  ｅＮＢは、ＰＤＮ  ＧＷ１２６を介し結合されるため、フェムトセルｅＮＢであるかもしれない。同様に、ピコセルは、建物内（オフィス、ショッピングモール、電車の駅など）又はより最近は飛行機の機内などの小さなエリアを典型的にカバーする無線通信システムである。ピコセルｅＮＢは、一般にそれの基地局コントローラ（ＢＳＣ）機能を通じてマイクロｅＮＢなどの他のｅＮＢにＸ２リンクを介し接続可能である。従って、ＬＰ  ｅＮＢは、Ｘ２インタフェースを介しマイクロｅＮＢに結合されるため、ピコセルｅＮＢにより実現されてもよい。ピコセルｅＮＢ又は他のＬＰ  ｅＮＢは、マイクロｅＮＢの一部又は全ての機能を有してもよい。いくつかのケースでは、ＬＰ  ｅＮＢは、“アクセスポイント基地局”又は“企業用フェムトセル”として参照されてもよい。
【００１７】
いくつかの実施例では、ダウンリンクリソースグリッドは、ｅＮＢ１０４からＵＥ１０２へのダウンリンク送信に利用され、ＵＥ１０２からｅＮＢ１０２へのアップリンク送信は同様の技術を利用してもよい。グリッドは、“リソースグリッド”又は“時間周波数リソースグリッド”と呼ばれ、各スロットにおけるダウンリンクの物理リソースである時間周波数グリッドであってもよい。このような時間周波数プレーン表現はＯＦＤＭシステムでは一般的であり、無線リソース割当てにとって直感的なものにする。リソースグリッドの各カラム及び各ローはそれぞれ、１つのＯＦＤＭシンボル及び１つのＯＦＤＭサブキャリアに対応する。時間領域におけるリソースグリッドの期間は、無線フレームにおける１つのスロットに対応する。リソースグリッドにおける最小の時間周波数単位は、“リソースエレメント”として示される。各リソースグリッドは、特定の物理チャネルからリソースエレメントへのマッピングを示す複数のリソースブロックを有する。各リソースブロックは、周波数領域におけるリソースエレメントの集まりを含み、現在割当て可能な最小単位のリソースを表す。このようなリソースブロックを用いて伝搬される複数の異なる物理ダウンリンクチャネルがある。本開示との特定の関連によって、これらの物理ダウンリンクチャネルの２つは、物理ダウンリンク共有チャネルと物理ダウンリンク制御チャネルである。
【００１８】
物理ダウンリンク共有チャネル（ＰＤＳＣＨ）は、ユーザデータ及び上位レイヤシグナリングをＵＥ１０２に搬送する。物理ダウンリンク制御チャネル（ＰＤＣＣＨ）又はエンハンスト物理ダウンリンク制御チャネル（ＥＰＤＣＣＨ）は、特にＰＤＳＣＨチャネルに関するトランスポートフォーマット及びリソース割当てに関する情報を搬送する。それはまた、アップリンク共有チャネルに関するトランスポートフォーマット、リソース割当て及びＨＡＲＱ（Ｈｙｂｒｉｄ  Ａｕｔｏｍａｔｉｃ  Ｒｅｐｅａｔ  Ｒｅｑｕｅｓｔ）情報をＵＥ１０２に通知する。典型的には、ダウンリンクスケジューリング（セル内のＵＥ１０２に制御及び共有チャネルリソースブロックを割り当てる）は、ＵＥ１０２からｅＮＢ１０４にフィードバックされたチャネル品質情報に基づきｅＮＢ１０４において実行され、その後、ダウンリンクリソース割当て情報は、ＵＥ１０２に使用される（割り当てられる）制御チャネル（ＰＤＣＣＨ）によりＵＥ１０２に送信される。
【００１９】
ＰＤＣＣＨは、制御情報を伝搬するため制御チャネルエレメント（ＣＣＥ）を利用する。リソースエレメントにマッピングされる前に、ＰＤＣＣＨの複素値のシンボルはまずクワドラプル（ｑｕａｄｒｕｐｌｅ）に構成され、その後、それはレートマッチングのためサブブロックインタリーバを用いて順序変更される。各ＰＤＣＣＨは、これらのＣＣＥの１つ以上を用いて送信され、各ＣＣＥはリソースエレメントグループ（ＲＥＧ）として知られる４つの物理リソースエレメントの９個のセットに対応する。４つのＱＰＳＫ（Ｑｕａｄｒａｔｕｒｅ  Ｐｈａｓｅ−Ｓｈｉｆｔ  Ｋｅｙｉｎｇ）シンボルが各ＲＥＧにマッピングされる。ＰＤＣＣＨは、ダウンリンク制御情報（ＤＣＩ）のサイズ及びチャネル状態に応じて１つ以上のＣＣＥを用いて送信可能である。異なる個数のＣＣＥ（例えば、アグリゲーションレベルＬ＝１，２，４又は８など）によって、ＬＴＥにおいて規定される４つ以上の異なるＰＤＣＣＨフォーマットがあってもよい。
【００２０】
図２は、いくつかの実施例によるユーザ装置（ＵＥ）２００の機能図である。図３は、いくつかの実施例による進化型ＮｏｄｅＢ（ｅＮＢ）３００の機能図である。いくつかの実施例では、ｅＮＢ３００は静止した非モバイル装置とすることができることに留意すべきである。ＵＥ２００は、図１に示されるようなＵＥ１０２とすることが可能であり、ｅＮＢ３００は、図１に示されるようなｅＮＢ１０４とすることが可能である。ＵＥ２００は、１つ以上のアンテナ２０１を利用して、ｅＮＢ３００、他のｅＮＢ、他のＵＥ又は他の装置との間で信号を送受信する物理レイヤ回路（ＰＨＹ）２０２を有することが可能である。ｅＮＢ３００は、１つ以上のアンテナ３０１を利用して、ＵＥ２００、他のｅＮＢ、他のＵＥ又は他の装置との間で信号を送受信する物理レイヤ回路（ＰＨＹ）３０２を有することが可能である。
【００２１】
ＵＥ２００はまた、無線媒体へのアクセスを制御するためのＭＡＣ（Ｍｅｄｉｕｍ  Ａｃｃｅｓｓ  Ｃｏｎｔｒｏｌ）レイヤ回路２０４を含むことができ、ｅＮＢ３００はまた、無線媒体へのアクセスを制御するためのＭＡＣレイヤ回路３０４を含むことができる。
【００２２】
ＵＥ２００はまた、ここで説明される処理を実行するように構成された処理回路２０６及びメモリ２０８を含むことができ、ｅＮＢ３００はまた、ここで説明する処理を実行するように構成された処理回路３０６及びメモリ３０８を含むことができる。
【００２３】
ｅＮＢ３００はまた、他のｅＮＢ１０４（図１）、コアネットワーク１２０（図１）のコンポーネント、又は他のネットワークコンポーネントを含む他のコンポーネントとの通信を可能にする１つ以上のインタフェース３１０を含むことができる。さらに、インタフェース３１０は、ネットワークの外部のコンポーネントを含む、図１に示されていない可能性がある他のコンポーネントとの通信を可能にしうる。インタフェース３１０は、有線、無線、又はそれらの組み合わせであってもよい。
【００２４】
アンテナ２０１，３０１は、例えば、ダイポールアンテナ、モノポールアンテナ、パッチアンテナ、ループアンテナ、マイクロストリップアンテナ、又は無線周波数（ＲＦ）信号の送信に適した他のタイプのアンテナを含む、１つ以上の指向性又は全方向性アンテナを含んでもよい。いくつかのＭＩＭＯ（Ｍｕｌｔｉｐｌｅ−Ｉｎｐｕｔ  Ｍｕｌｔｉｐｌｅ−Ｏｕｔｐｕｔ）の実施形態では、アンテナ２０１，３０１は、結果として生じうる空間ダイバーシチと異なるチャネル特性とを利用するため効果的に分離されてもよい。
【００２５】
いくつかの実施例では、ここで説明するモバイルデバイス又は他のデバイスは、パーソナル・デジタル・アシスタント（ＰＤＡ）、無線通信機能を備えたラップトップ又はポータブルコンピュータ、ウェブタブレット、無線電話、スマートフォン、ワイヤレスヘッドセット、ページャ、インスタントメッセージングデバイス、デジタルカメラ、アクセスポイント、テレビ、医療機器（例えば、心拍モニタ、血圧モニタなど）、又は情報を無線で受信及び／又は送信しうるウェアラブルデバイスを含む他のデバイスなど、ポータブル無線通信デバイスの一部であってもよい。いくつかの実施例では、モバイルデバイス又は他のデバイスは、３ＧＰＰ規格に従って動作するように構成されたＵＥ又はｅＮＢとすることができる。いくつかの実施形態では、モバイルデバイス又は他のデバイスは、ＩＥＥＥ８０２．１１又は他のＩＥＥＥ規格を含む他のプロトコル又は規格に従って動作するように構成されてもよい。いくつかの実施例では、モバイルデバイス又は他のデバイスは、キーボード、ディスプレイ、不揮発性メモリポート、複数のアンテナ、グラフィックスプロセッサ、アプリケーションプロセッサ、スピーカ、及び他のモバイルデバイス要素の１つ以上を含んでもよい。ディスプレイは、タッチ画面を含むＬＣＤ画面であってもよい。
【００２６】
ＵＥ２００及びｅＮＢ３００はそれぞれ、いくつかの別々の機能要素を有するものとして示されているが、機能要素の１つ以上が組み合わせ可能であり、デジタル信号プロセッサ（ＤＳＰ）及び／又は他のハードウェア要素を含む処理要素などのソフトウェアにより設定された要素の組み合わせによって実現可能である。例えば、いくつかの要素は、１つ以上のマイクロプロセッサ、ＤＳＰ、フィールド・プログラマブル・ゲート・アレイ（ＦＰＧＡ）、特定用途向け集積回路（ＡＳＩＣ）、無線周波数集積回路（ＲＦＩＣ）、及びここに説明される機能を少なくとも実行するための各種ハードウェア及び論理回路の組み合わせを有することが可能である。いくつかの実施例では、機能要素は、１つ以上の処理要素上で動作する１つ以上のプロセスを表すことができる。
【００２７】
実施例は、ハードウェア、ファームウェア、及びソフトウェアの１つ又は組合せで実現することができる。実施例はまた、ここで説明する処理を実行するために少なくとも１つのプロセッサによって読み取られ実行される、コンピュータ可読記憶装置に記憶された命令として実現することもできる。コンピュータ可読記憶装置は、機械（例えば、コンピュータ）によって読み取り可能な形式で情報を記憶するための何れかの非一時的機構を含むことができる。例えば、コンピュータ可読記憶装置は、読み取り専用メモリ（ＲＯＭ）、ランダム・アクセス・メモリ（ＲＡＭ）、磁気ディスク記憶媒体、光学記憶媒体、フラッシュメモリ装置、及び他の記憶装置及び媒体を含むことができる。いくつかの実施例は、コンピュータ可読記憶装置に記憶された命令により設定することができる１つ以上のプロセッサを含むことができる。
【００２８】
いくつかの実施例では、ＵＥ２００は、ＯＦＤＭＡ通信技術に従ってマルチキャリア通信チャネルを介してＯＦＤＭ通信信号を受信するよう構成可能である。ＯＦＤＭ信号は、複数の直交サブキャリアを含むことができる。いくつかの広帯域マルチキャリアの実施例では、本開示の範囲がこれに限定されるものでないが、ｅＮＢ３００は、ＷｉＭＡＸ（Worldwide Interoperability for Microwave Access）通信ネットワーク、第３世代パートナーシッププロジェクト（３ＧＰＰ）ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＬＴＥ（Ｌｏｎｇ−Ｔｅｒｍ−Ｅｖｏｌｕｔｉｏｎ）ネットワーク、又はＬＴＥ通信ネットワークなどのブロードバンド無線アクセス（ＢＷＡ）通信ネットワークの一部とすることができる。これらのブロードバンドマルチキャリアの実施例では、ＵＥ２００及びｅＮＢ３００は、ＯＦＤＭＡ技術に従って通信するよう構成可能である。
【００２９】
図４は、いくつかの実施例によるデュアルコネクティビティの実現のためのヘテロジニアスネットワーク４００の一例を示す。図４は、マクロセル４１０を表すラージセルを含む異なる配置の例を示す。ヘテロジニアスネットワーク４００はまた、マクロセル４１０を含むマクロレイヤと同じ周波数のスモールセル４２０（例えば、マイクロセル）を含むことができる。さらに、ヘテロジニアスネットワーク４００は、クラスタに配置されたスモールセル４３０と、マクロセル４１０とは異なる周波数レイヤにおいて非クラスタ（例えば、市街地に広がる）に配置されたスモールセルとを含むことができる。さらに、ヘテロジニアスネットワーク４００は、ビームフォーミング能力により展開される異なる無線アクセス技術（ＲＡＴ）においてスモールセル４４０をビーム形成することを含むことができる。
【００３０】
従って、このようなヘテロジニアスネットワーク４００では、デュアルコネクティビティは、ＵＥ１０２がマクロセル４１０とマクロセル４１０とは異なる周波数レイヤにおけるスモールセル４３０とに同時接続することを可能しうる。
【００３１】
前述したように、ＬＴＥネットワークにおけるデュアルコネクティビティは、ユーザがマクロセル４１０及びスモールセル（例えば、スモールセル４２０、４３０及び／又は４４０）に同時接続することを可能にすることによって、ユーザ毎のスループットを大幅に改善し、ハンドオーバを低減し、ハンドオーバの失敗を減らすことを可能にする。
【００３２】
図５は、いくつかの実施例によるデュアルコネクティビティの実装のシナリオ５００の一例を示す。デュアルコネクティビティでは、サービングセルは異なるｅＮＢで動作する。例えば、プライマリセルはマクロセル５１０から提供され、セカンダリセルはスモールセル（例えば、第１のスモールセル５２０及び／又は第２のスモールセル５３０）から提供される。いくつかの例では、スモールセルは、ピコセル又はフェムトセルとすることができる。例えば、第１のスモールセル５２０は第１のピコセルであり、第２のスモールセル５３０は第２のピコセルである。
【００３３】
前述したように、デュアルコネクティビティの動機付けの１つは、図４に示されるように、ヘテロジニアス配置において頻繁なハンドオーバを回避することである。シナリオ５００に示されるように、ＵＥ１０２は、マクロセル５１０のカバレッジエリア５６０内で移動することができる。各スモールセルのカバレッジエリア（図示せず）（例えば、第１のスモールセル５２０及び第２のスモールセル５３０のカバレッジ）がマクロセル５１０のものより小さいため、ＵＥがスモールセルのみに接続されている場合、ＵＥ１０２は、マクロセル５１０又は他のスモールセルにハンドオーバする必要があり得る。一方、ＵＥがマクロセル５１０に接続されている場合、ハンドオーバは不要であるが、スモールセルへのオフロードは提供されない。オフロードを実現し、頻繁なハンドオーバを回避するために、キャリアアグリゲーションが実行可能である。
【００３４】
キャリアアグリゲーションによって、ＵＥは、第１の周波数５４０で動作するマクロセル５１０と、第２の周波数５５０で動作するスモールセル（例えば、第１のスモールセル及び／又は第２のスモールセル５３０）との双方によってサービス提供可能である。例えば、プライマリセルはマクロセル５１０とすることができ、セカンダリセルはスモールセル（例えば、第１のスモールセル５２０、第２のスモールセル５３０）とすることが可能である。
【００３５】
例えば、Ｔ１において、マクロセル５１０のカバレッジエリア（例えば、カバレッジエリア５６０）内にあるＵＥ１０２は、プライマリセルとしてマクロセルによってサービス提供可能である。その後、Ｔ２において、ＵＥ１０２がマクロセル５１０及び第１のスモールセル５２０のカバレッジエリア内にあるとき、第２のスモールセル５２０がセカンダリセルとして追加可能であり、マクロセル５１０がプライマリセルとして維持される。さらに、Ｔ３において、ＵＥ１０２がマクロセル５１０のカバレッジエリア内にあるが、第１のスモールセル５２０のカバレッジエリア外に移動するとき、第１のスモールセル５２０は、第２のスモールセルとして削除可能であり、マクロセル５１０はプライマリセルとして維持される。その後、Ｔ４において、ＵＥ１０２がマクロセル５１０及び第２のセカンダリセル５３０のカバレッジエリア内にあるとき、第２のスモールセル５３０がセカンダリセルとして追加可能であり、マクロセル５１０がプライマリセルとして維持される。最後に、Ｔ５において、ＵＥ１０２がマクロセル５１０のカバレッジエリア内にあるが、第２のスモールセル５３０のカバレッジエリア外に移動するとき、第２のスモールセル５３０はセカンダリセルとして削除され、マクロセル５１０はプライマリセルとして維持される。
【００３６】
図５の具体例では、プライマリセル（例えば、マクロセル５１０）はモビリティマネージメントを担当することができ、従って、ＵＥ１０２はマクロセル５１０のカバレッジエリア内を移動している限り、ハンドオーバする必要はない。さらに、セカンダリセル（例えば、第１のスモールセル５２０、第２のスモールセル５３０）はデータ送信に使用することができ、ＵＥは、セカンダリセルへのオフロードを利用することができる。第１のスモールセル５２０から第２のスモールセル５３０への変更は、ハンドオーバの代わりに、セカンダリセルの追加又は削除によってサポートされてもよい。
【００３７】
図５に示されるシナリオでは、デュアルコネクティビティとＬＴＥ  Ｒｅｌ−１０のキャリアアグリゲーションとの間の相違の具体例が示されている。例えば、デュアルコネクティビティでは、マクロセル（例えば、マクロセル５１０）とスモールセル（例えば、第１のスモールセル５２０、第２のスモールセル５３０）は異なるｅＮＢ１０４によって提供され、２つのセルはＸ２インタフェースを介し接続される。ＬＴＥ  Ｒｅｌ−１０のキャリアアグリゲーションでは、すべてのサービングセルが同じｅＮＢ１０４によって提供されると想定できる。
【００３８】
マクロセル（例えば、マクロセル５１０）とスモールセル（例えば、第１のスモールセル５２０、第２のスモールセル５３０）とが異なるｅＮＢ１０４によって提供されると仮定すると、ＵＥ１０２は、マクロセルとスモールセルとの両方から同じサブフレームにおいて複数の非周期的なＣＳＩリクエストを受信する可能性がある。図６〜８は、同じサブフレーム内で複数の非周期的なＣＳＩリクエストが受信されるとき、ＣＳＩプロセスの優先順位付け及び計算のための技術を示す。
【００３９】
さらに、いくつかの実施例では、ＬＴＥキャリアアグリゲーションは、デュアルコネクティビティの上に展開することができる。例えば、マクロ及び／又はピコｅＮＢ１０４は、ダウンリンク及び／又はアップリンクチャネルにおいて複数のコンポーネントキャリア（又はセル）を集約してもよい。
【００４０】
［チャネル状態情報（ＣＳＩ）レポート］
ＬＴＥ−Ａｄｖａｎｃｅｄは、周期的及び非周期的な報告である２種類のＣＳＩレポートをサポートすることができる。定期的なＣＳＩレポートは、主として、長期的にＵＥ１０２におけるダウンリンクチャネルのチャネル品質を示すために使用されうる。周期的ＣＳＩは、上位レイヤシグナリング（例えば、無線リソース制御（ＲＲＣ））を使用してサービングセルによって設定された所定の報告時間スケジュールに従ってＵＥ１０２によって提供され、通常は低オーバーヘッドを有する。
【００４１】
対照的に、非周期的なＣＳＩレポートは、ダウンリンク制御情報（ＤＣＩ）に格納されたＣＳＩリクエストを使用してサービングセルによってトリガされる動的なＣＳＩリクエストに基づき、単一の報告インスタンスにおいてより大きくより詳細な報告を提供するために使用され得る。ＤＣＩは、物理ダウンリンク制御チャネル（ＰＤＣＣＨ）又はエンハンスト物理ダウンリンク制御チャネル（ＥＰＤＣＣＨ）を含むことができる。
【００４２】
送信モード１０では、同じサービング周波数上の複数のＣＳＩプロセスに対応する複数のＣＳＩレポートが、ＴＳ３６．２１３  Ｒｅｌ−１１（以下に再現）に定義されたＴａｂｌｅ  ７．２．１−１Ｂに従ってｅＮＢ１０４によって要求されうる。ＣＳＩリクエストフィールド“０１”、“１０”及び“１１”に対応するＣＳＩプロセスのセットは、ＲＲＣシグナリングを使用して設定される。
【００４３】
【表１】
0006419962.tif 000002
キャリアアグリゲーションモードでは、複数のダウンリンクセルに対応する複数のＣＳＩリクエストが、ＴＳ３６．２１３  Ｒｅｌ−１０（以下に再現）に定義されるＴａｂｌｅ  ７．２．１−１Ａに従ってｅＮＢ１０４により要求可能である。ＣＳＩリクエストフィールド“１０”及び“１１”に対応する報告のためのサービングセルのセットは、ＲＲＣシグナリングを用いて設定される。
【００４４】
【表２】
0006419962.tif 000003
ＵＥ１０２がＴＳ３６．２１１のセクション７．２．１で定義されているような１つのダウンリンクサブフレームにおいて複数のＣＳＩリクエストを受信することが想定されていないことが仮定されると、１つのサブフレームにおいてＵＥ１０２によって生成されるＣＳＩレポートの最大数は５に制限されることができる。
【００４５】
キャリアアグリゲーションの場合、理想的なバックホールリンク及びダウンリンクサブフレーム当たり１つのＣＳＩリクエストの制限のために、ＣＳＩリクエストの最大数は５である。前述のように、ＬＴＥ  Ｒｅｌ−１０のキャリアアグリゲーションでは、すべてのサービングセルが同じｅＮＢ１０４によって提供されると仮定することができる。
【００４６】
しかしながら、デュアルコネクティビティでは、マクロセル（例えば、マクロセル５１０）とスモールセル（例えば、第１のスモールセル５２０、第２のスモールセル５３０）とは、異なるｅＮＢ１０４によって提供され、２つのセルはＸ２インタフェースを介して接続される。従って、１つのダウンリンクサブフレームで複数のＣＳＩリクエストが送信される可能である。さらに、高遅延及び可変遅延を伴う理想的でないバックホールリンクを有しうるデュアルコネクティビティに関して、各ダウンリンクサブフレームにおいて１つののみのＣＳＩリクエストが送信されることを確実にすることは困難であり得る。
【００４７】
さらに、ＣＳＩの計算複雑さのために、ＵＥ１０２におけるＣＳＩ計算を妥当なレベルに保つことが望ましい。従って、いくつかの具体例では、ＵＥ１０２によって計算されるべき所定数のＣＳＩレポートが設定され得る。例えば、所定数のＣＳＩレポートは、ＣＳＩレポートの最大数に関する既存の制約である５に設定することができる。本開示では、任意のサブフレームにおいて計算及び報告されるＣＳＩプロセスの数を５に限定するいくつかの実施例が示されている。例えば、ＣＳＩプロセスは優先順位付けされ、上位５つのＣＳＩプロセスがＵＥ１０２によって計算される。
【００４８】
いくつかの実施例によると、ここに開示される様々な非周期的ＣＳＩレポートプロセスは、デュアルコネクティビティが使用される際、ＵＥ１０２におけるＣＳＩ計算の複雑さの低減を可能にする。
【００４９】
図６は、いくつかの実施例によるＣＳＩ属性６００の具体例を示す。例えば、同じサブフレームの間に５つより多くのＣＳＩプロセスがリクエストされると、ＣＳＩ属性６００を使用して、ＵＥ１０２が計算する上位５つのＣＳＩプロセスを選択（例えば、優先順位付け）することができる。ＣＳＩ属性は、限定することなく、セルグループインデックス６１０、ＣＳＩプロセスインデックス６２０、コンポーネントキャリア（ＣＣ）インデックス６３０、及びＣＳＩサブフレームインデックス６４０を含みうる。セルグループインデックス６１０は、マクロセル６１２に対応するインデックス値と、スモールセル６１４に対応するインデックス値とを含みうる。
【００５０】
第１の実施例群では、同時の非周期的ＣＳＩリクエストがプライマリｅＮＢ及びセカンダリｅＮＢからＵＥ１０２によって受信されるとき、ＣＳＩ（例えば、ＣＳＩプロセス）の計算優先順位は、所定のルールに基づき定義され得る。
【００５１】
例えば、所定のサブフレームにおいてリクエストされたＮ（Ｎ＞５）個のトータルのＣＳＩプロセスについて、ＵＥ１０２は、所定の数（例えば、５個）の上位の優先順位のＣＳＩプロセスを更新してもよい。さらに、残りの（例えば、所定数が５であるとき、Ｎ−５）より低い優先順位のＣＳＩプロセスは更新されなくてもよい。いくつかの具体例では、残りの（例えば、更新されていない）ＣＳＩプロセスにデフォルト値を使用することができる。あるいは、前に計算された値を残りのＣＳＩプロセスに使用することができる。
【００５２】
ＣＳＩプロセス優先順位リストは、セルグループインデックス６１０（例えば、ｅＮＢのタイプ）、ＣＳＩプロセスインデックス６２０、ＣＣインデックス６３０、及びＣＳＩサブフレームインデックス６４０などのＣＳＩ属性６００に基づき定義することができる。
【００５３】
優先順位の可能な順序付けの例（より高い優先順位から始まる）は、以下のように定義することができる。
・セルグループインデックス６１０＞ＣＳＩプロセスインデックス６２０＞ＣＣインデックス６３０＞ＣＳＩサブフレームインデックス６４０
・ＣＳＩプロセスインデックス６２０＞セルグループインデックス６１０＞ＣＣインデックス６３０＞ＣＳＩサブフレームインデックス６４０
・ＣＳＩプロセスインデックス６２０＞ＣＣインデックス６３０＞セルグループインデックス６１０＞ＣＳＩサブフレームインデックス６４０
・ＣＳＩプロセスインデックス６２０＞ＣＣインデックス６３０＞ＣＳＩサブフレームインデックス６４０＞セルグループインデックス６１０
一例では、より小さいセルグループインデックス６１０の値（例えば、スモールセル６１４に対応するインデックス値）は、より高いセルグループインデックス６１０の値（例えば、マクロセル６１２に対応するインデックス値）より高いＣＳＩ計算優先順位を有することができる。あるいは、別の例では、より低いセルグループインデックス６１０の値は、より高いセルグループインデックス６１０の値より低い計算優先順位を有することができる。いくつかの実施例では、マクロセル６１２は、スモールセル６１４又は別のマクロセルとは異なる周波数帯域で動作するマクロセルのクラスタに含まれてもよい。
【００５４】
いくつかの具体例では、ＣＳＩプロセスのためのすべてのＣＳＩリクエストが報告されてもよいが、それらのすべてが更新されなくてもよい。更新されていないＣＳＩレポートは、以前に受信された非周期的ＣＳＩデータ又はデフォルト値に基づき、以前に報告されたＣＳＩレポートであってもよい。例えば、デフォルト値は、ＵＥ１０２が範囲外であるという維持に対応しうる“０”のインデックス値を有するチャネル品質インジケータ（ＣＱＩ）であってもよい。さらに、“０”のインデックス値を有するＣＱＩは、ＵＥ１０２が使用可能なＬＴＥ信号を受信していないことを示すことができる。さらに、非周期的なＣＳＩコンフィギュレーション（すなわち、異なるＵＥ１０２に対するＣＳＩリクエストフィールドのコンフィギュレーション）は、プライマリｅＮＢとセカンダリｅＮＢとの間でＸ２インタフェースを介して交換されてもよい。
【００５５】
第２の実施例群では、プライマリｅＮＢ及びセカンダリｅＮＢによる各ＣＳＩリクエストフィールドに対して設定されたＣＳＩプロセスの最大数の合計は、所定数（例えば、５）のＣＳＩプロセスを超過しなくてもよい。
【００５６】
第３の実施例群では、異なるＣＳＩサブフレームは、非周期的ＣＳＩトリガのためにプライマリｅＮＢ及びセカンダリｅＮＢによって使用されてもよい。プライマリｅＮＢによるトリガに使用されるサブフレームは、セカンダリｅＮＢによる非周期的なＣＳＩトリガには使用されなくてもよい。サブフレームは、周波数分割複信（ＦＤＤ）の場合、４０ビットの長さを有するビットマップシグナリングを使用して、プライマリｅＮＢとセカンダリｅＮＢとの間で調整することができる。
【００５７】
図７は、いくつかの実施例による選択されたＣＳＩプロセスについてＣＳＩを計算する方法７００の処理を示す。図５及び６に示されるように、同じサブフレーム内で複数のＣＳＩリクエストが受信可能であり、それか、ＵＥ１０２によって計算される必要がある５つより多くの要求されたＣＳＩプロセスをもたらすことができる。このような場合、リクエストされたＣＳＩプロセスの選択されたサブセットはＣＳＩ属性６００に基づき計算される。しかしながら、実施例はこれらのコンフィギュレーションに限定されず、ここに説明される技術及び処理の一部又はすべては、マクロセル又はマイクロセルを排他的に利用するシステム又はネットワークに適用されてもよい。
【００５８】
方法７００の実施例は、図７に示されているものと比較して、追加的又はさらに少数の処理又はプロセスを含むことができることに留意することが重要である。さらに、方法７００の実施例は、図７に示される時系列順に必ずしも限定されない。方法７００を説明する際、方法７００が他の何れか適したシステム、インタフェース及びコンポーネントによって実施されてもよいことが理解されるが、図１〜６が参照されてもよい。例えば、（上述された）図５のシナリオ５００が例示的目的のため参照されてもよいが、方法７００の技術及び処理はこれに限定されない。
【００５９】
さらに、ここで説明される方法７００及び他の方法は、３ＧＰＰ又は他の規格に従って動作するｅＮＢ１０４又はＵＥ１０２を参照してもよいが、これらの方法の実施例は、ｅＮＢ１０４又はＵＥ１０２のみに限定されず、Ｗｉ−Ｆｉアクセスポイント（ＡＰ）又はユーザステーション（ＳＴＡ）などの他のモバイルデバイスによっても実施され得る。さらに、ここに記載される方法７００及び他の方法は、ＩＥＥＥ８０２．１１などの様々なＩＥＥＥ規格に従って動作するように構成されたシステムを含む、他の適切なタイプの無線通信システムで動作するように構成された無線デバイスによって実施されてもよい。
【００６０】
方法７００の処理７１０において、ＵＥ１０２は、第１のサブフレームにおいて、第１のセルグループから第１の非周期的ＣＳＩリクエストを受信する。物理レイヤ回路２０２（図２）は、ｅＮＢ（例えば、ｅＮＢ１０４）から第１の非周期的ＣＳＩリクエストを受信することができる。第１のセルグループは、プライマリｅＮＢによって提供可能である。第１のセルグループは、マクロセル５１０を含むことができる。
【００６１】
上記のＴａｂｌｅ  ７．２．１−１Ｂに記載されているように、第１の非周期的ＣＳＩリクエストのためのリクエストフィールド値は、送信モード１０において“０１”、“１０”又は“１１”とすることができる。
【００６２】
上記のＴａｂｌｅ  ７．２．１−１Ａに記載されているように、第１の非周期的ＣＳＩリクエストのリクエストフィールド値は、キャリアアグリゲーションモードでは“１０”又は“１１”とすることができる。
【００６３】
ＬＴＥネットワークにおけるデュアルコネクティビティは、ＵＥ１０２がプライマリｅＮＢ及びセカンダリｅＮＢを介しプライマリセルグループ及びセカンダリセルグループに同時接続することを可能にする。この結果、いくつかの具体例では、ＵＥ１０２は、同じサブフレーム内で複数の非周期的ＣＳＩリクエストを受信することができる。例えば、ＵＥ１０２は、処理７１０においてプライマリｅＮＢからＣＳＩリクエストを受信し、処理７２０において同一のサブフレームにおいてセカンダリｅＮＢから他のＣＳＩリクエストを受信することができる。
【００６４】
処理７２０において、ＵＥ１０２は、第１のサブフレームにおいて、第２のセルグループから第２の非周期的ＣＳＩリクエストを受信する。物理レイヤ回路２０２は、別のｅＮＢ１０４から第２の非周期的ＣＳＩリクエストを受信することができる。第２のセルグループは、第２のｅＮＢによって提供可能である。第２のセルグループは、第１のスモールセル５２０又は第２のスモールセル５３０を含むことができる。さらに、第２のセルグループは、第１のセルグループとは異なる周波数で動作することができる。
【００６５】
上記のＴａｂｌｅ  ７．２．１−１Ｂに記載されているように、第２の非周期的ＣＳＩリクエストのためのリクエストフィールド値は、送信モード１０において“０１”、“１０”又は“１１”とすることができる。
【００６６】
上記のＴａｂｌｅ  ７．２．１−１Ａに記載されているように、第２の非周期的ＣＳＩリクエストのリクエストフィールド値は、キャリアアグリゲーションモードでは“１０”又は“１１”とすることができる。
【００６７】
いくつかの具体例では、第１の非周期的ＣＳＩリクエスト及び第２の非周期的ＣＳＩリクエストは、第１の非周期的ＣＳＩリクエストが第２の非周期的ＣＳＩリクエストの３３マイクロ秒以内に受信されたときに第２のサブフレームで受信される。
【００６８】
一例では、第２のセルグループはマクロｅＮＢを含み、第２のセルグループはスモールセルｅＮＢを含む。別の例では、第１のセルグループはスモールセルｅＮＢを含み、第２のセルグループはマクロｅＮＢを含む。さらに別の例では、第１のセルグループ及び第２のセルグループは、異なる周波数で動作する異なるマクロｅＮＢを含むことができる。さらに別の例では、第１のセルグループ及び第２のセルグループは、異なる周波数で動作する異なるスモールセルｅＮＢを含むことができる。
【００６９】
処理７３０において、ＵＥ１０２は、第１の非周期的ＣＳＩリクエスト及び第２の非周期的ＣＳＩリクエストに対応する個数の要求されたＣＳＩプロセスを決定する。いくつかの具体例では、処理回路２０６（図２）は、要求されたＣＳＩプロセスの数を決定する。要求されたＣＳＩプロセスの数は、第１の非周期的ＣＳＩリクエストに関連するＣＳＩプロセスの数及び第２の非周期的ＣＳＩリクエストに関連するＣＳＩプロセスの数を加算することによって決定することができる。上述したように、ＣＳＩ計算の複雑さのために、任意のサブフレームで計算及び報告されるＣＳＩプロセスの数は、所定数（例えば、５）のＣＳＩプロセスに限定されてもよい。
【００７０】
処理７４０において、ＵＥ１０２は、要求されたＣＳＩプロセスの決定された数が所定数（例えば、５）より多いとき、要求されたＣＳＩプロセスのサブセットを選択する。例えば、ＵＥ１０２は、５つより多くの要求されたＣＳＩプロセスがあるとき、要求されたＣＳＩプロセスのサブセットを選択することができる。いくつかの具体例では、処理回路２０６は、更新（例えば、計算）するためのＣＳＩプロセスのサブセットを選択する。要求されたＣＳＩプロセスの数は、処理７３０において決定される。
【００７１】
いくつかの具体例では、選択されたＣＳＩプロセスは、合計５つのＣＳＩプロセスを含む。例えば、ＣＳＩプロセスが優先順位付けされ、上位５つのＣＳＩプロセスがＵＥ１０２によって選択される。
【００７２】
いくつかの具体例では、選択されたＣＳＩプロセスは、要求されたＣＳＩプロセスよりも少なくとも１つ少ないＣＳＩプロセスを含む。例えば、要求されたＣＳＩプロセスの数が７である場合、選択されたＣＳＩプロセスの数は６以下である。
【００７３】
いくつかの具体例では、処理回路２０６は、ＣＳＩ属性に基づき、要求されたＣＳＩプロセスの優先順位リストを生成するようさらに構成される。さらに、処理７４０における要求されたＣＳＩプロセスのサブセットの選択は、優先順位リストに基づくことができる。ＣＳＩ属性は、図６のＣＳＩ属性６００を含むことができる。ＣＳＩ属性６００は、セルグループインデックス６１０、ＣＳＩプロセスインデックス６２０、ＣＣインデックス６３０、及びＣＳＩサブフレームインデックス６４０を含む。
【００７４】
優先順位リストは、ＵＥ（例えば、ＵＥ１０２）又はｅＮＢ（例えば、ｅＮＢ１０４）によって予め設定可能である。いくつかの具体例では、ＣＳＩプロセスインデックス６２０は、ＣＣインデックス６３０よりも優先順位リストにおいて高い優先順位を有することができる。いくつかの具体例では、ＣＣインデックス６３０は、優先順位リストにおいてＣＳＩサブフレームインデックス６４０よりも高い優先順位を有することができる。
【００７５】
いくつかの具体例では、より低いセルグループインデックス６１０は、より高いセルグループインデックス６１０よりも高い優先順位を優先リストにおいて有することができる。あるいは、より低いセルグループインデックス６１０は、より高いセルグループインデックス６１０よりも低い優先順位を優先リストにおいて有することができる。より低いセルグループインデックス６１０は、スモールセルｅＮＢ又はセカンダリｅＮＢに対応することができる。より高いセルグループインデックス６１０は、マクロｅＮＢ又はプライマリｅＮＢに対応することができる。
【００７６】
処理７５０において、ＵＥ１０２は、処理７４０からの選択されたＣＳＩプロセスについてＣＳＩを計算する。処理回路２０６は、選択された各ＣＳＩプロセスについてＣＳＩを計算することができる。前述したように、合計５つのＣＳＩプロセスが処理７４０において選択され、従って、５つのプロセスのＣＳＩが処理７５０において計算できる。
【００７７】
計算されたＣＳＩは、プリコーディングマトリクスインジケータ値を含むことができる。方法８００において説明されるように、ｅＮＢ１０４により設定又は送信される送信パラメータは、プリコーディングマトリクスインジケータ値に基づくｅＮＢの送信アンテナのためのプリコーディングウェイトを含むことができる。
【００７８】
さらに、計算されたＣＳＩは、ランク・インジケータ（ＲＩ）値を含むことができる。方法８００においてｅＮＢ１０４によって決定されるレイヤの数は、ＲＩ値に基づく。
【００７９】
さらに、計算されたＣＳＩは、チャネル品質インジケータ（ＣＱＩ）を含むことができる。方法８００においてｅＮＢ１０４によって決定される変調符号化方式（ＭＣＳ）は、ＣＱＩ値に基づくことが可能である。
【００８０】
いくつかの具体例では、方法７００はさらに、第１のＣＳＩレポートと第２のＣＳＩレポートとを生成することを含むことができる。例えば、ＣＳＩレポートは処理回路２０６を用いて生成可能である。第１のＣＳＩレポートは、第１の非周期的ＣＳＩリクエストに対応する処理７５０からの計算されたＣＳＩを含みうる。第２のＣＳＩレポートは、第２の非周期的ＣＳＩリクエストに対応する処理７５０からの計算されたＣＳＩを含みうる。
【００８１】
さらに、方法７００はさらに、第１のＣＳＩレポートを第１のセルグループに送信し、第２のＣＳＩレポートを第２のセルグループに送信することを含むことができる。先に述べたように、第１のセルグループは、処理７１０において第１の非周期的ＣＳＩリクエストを送信し、第２のセルグループは、処理７２０において第２の非周期的ＣＳＩリクエストを送信した。例えば、物理レイヤ回路２０２は、第１のＣＳＩレポートを第１のセルグループに送信し、第２のＣＳＩレポートを第２のセルグループに送信可能である。
【００８２】
さらに、第１及び第２の非周期的リクエストからの要求されたＣＳＩプロセスの全てが、第１のＣＳＩレポート又は第２のＣＳＩレポートに含まれるが、ＣＳＩは処理７４０において選択されたＣＳＩプロセスについてのみ計算される。
【００８３】
いくつかの具体例では、処理回路２０６はさらに、残りのプロセスのために以前に記憶されたＣＳＩにアクセスするよう構成され、残りのプロセスは処理７４０において選択されたＣＳＩプロセスと異なる。さらに、第１のＣＳＩレポート又は第２のＣＳＩレポートは、残りのプロセスについてアクセスされたＣＳＩを含みうる。例えば、残りのＣＳＩプロセスは、処理７５０において更新（例えば、計算）されないＣＳＩプロセスである。処理回路２０６は、メモリ２０８に記憶される残りのＣＳＩプロセスの値にアクセスすることができる。当該値は、残りのＣＳＩプロセスに関連する以前に計算されたＣＳＩに対応可能である。
【００８４】
いくつかの具体例では、処理回路２０６はさらに、残りのプロセスのための汎用的なＣＳＩを生成するよう構成される。先に述べたように、残りのプロセスはさらに、処理７４０において選択されたＣＳＩプロセスとは異なる。さらに、汎用的ＣＳＩは、残りのプロセスが計算されていないことを示す。さらに、第１のＣＳＩレポート又は第２のＣＳＩレポートは、残りのプロセスのための汎用的なＣＳＩを含むことができる。例えば、残りのプロセスに関連付けられた第１のＣＳＩレポートの一部は、ＣＱＩが計算されていないことを示すためゼロに設定されたチャネル品質インジケータ（ＣＱＩ）を含む。
【００８５】
いくつかの具体例では、処理回路２０６は、選択されたプロセスについて計算されたＣＳＩに基づき、ＣＳＩレポートを生成するようさらに構成される。さらに、物理レイヤ回路２０２は、ＣＳＩレポートを第１のセルグループ及び第２のセルグループに送信するようさらに構成される。
【００８６】
図８は、いくつかの実施例による計算されたＣＳＩに基づき送信モードを選択するための方法８００の処理を示す。方法８００の実施例は、図８に示されているものと比較して、追加的又はさらに少数の処理又はプロセスを含むことができることに留意することが重要である。さらに、方法８００は他の何れか適したシステム、インタフェース及びコンポーネントにより実施されても位ことが理解されるが、方法８００の実施例は、図８に示される時系列順に必ずしも限定されない。
【００８７】
さらに、ここに説明される方法８００及び他の方法は、３ＧＰＰ又は他の規格に従って動作するｅＮＢ１０４又はＵＥ１０２を参照してもよいが、これらの方法の実施例は、ｅＮＢ１０４又はＵＥ１０２のみに限定されず、Ｗｉ−Ｆｉアクセスポイント（ＡＰ）又はユーザステーション（ＳＴＡ）などの他のモバイルデバイスによっても実施され得る。さらに、ここに記載される方法８００及び他の方法は、ＩＥＥＥ８０２．１１などの様々なＩＥＥＥ規格に従って動作するように構成されたシステムを含む、他の適切なタイプの無線通信システムで動作するように構成された無線デバイスによって実施されてもよい。
【００８８】
方法８００は、ヘテロジニアスネットワークにおいてデュアルコネクティビティを有するＵＥ（例えば、ＵＥ１０２）のための送信モードを選択するためにｅＮＢ１０４によって実行することができる。
【００８９】
処理８１０において、ｅＮＢ１０４は、非周期的ＣＳＩリクエストをＵＥ１０２に送信することができる。いくつかの具体例では、物理レイヤ回路３０２は、ＣＳＩリクエストを送信することができる。
【００９０】
いくつかの具体例では、非周期的なＣＳＩトリガのために、異なるＣＳＩサブフレームがプライマリｅＮＢ及びセカンダリｅＮＢによって使用されてもよい。プライマリｅＮＢによる非周期的ＣＳＩトリガに使用されるサブフレームは、セカンダリｅＮＢによる非周期的ＣＳＩトリガには使用されなくてもよい。サブフレームは、周波数分割複信（ＦＤＤ）の場合、４０ビットの長さを有するビットマップシグナリングを使用して、プライマリｅＮＢとセカンダリｅＮＢとの間で調整することができる。さらに、各ビットは、ダウンリンクサブフレームに対応することができ、ここで、“１”はトリガが使用されることを示し、“０”はトリガが使用されないことを示す。
【００９１】
処理８２０において、ｅＮＢ１０４のＰＨＹ３０２は、処理８１０において送信された非周期的リクエストに基づき、ＣＳＩレポートを受信することができる。ＣＳＩレポートは、図７の方法７００を使用してＵＥ１０２によって生成及び送信される。いくつかの具体例では、ｅＮＢ３００の物理レイヤ回路３０２がＣＳＩレポートを受信することができる。
【００９２】
ＣＳＩレポートは、処理７５０において計算された選択されたＣＳＩプロセスに対するＣＳＩを含むことができる。さらに、ＣＳＩプロセスは、処理７４０においてＵＥ１０２によって選択可能である。さらに、ＣＳＩレポートは、残りのプロセスの汎用的ＣＳＩを含むことが可能である。残りのプロセスは、処理７４０において選択されていないＣＳＩプロセスとすることができるが、処理８１０において送信された非周期的ＣＳＩリクエストにおいて要求されたＣＳＩプロセスであってもよい。
【００９３】
処理８３０において、ｅＮＢ１０４は、残りのＣＳＩプロセスが汎用的ＣＳＩに基づき計算されていないことを判断できる。いくつかの具体例では、処理８３０はｅＮＢ３００の処理回路３０６によって実行することができる。
【００９４】
処理８４０において、ｅＮＢ１０４の処理回路３０６は、ＣＳＩレポートにおける選択されたＣＳＩプロセスについて計算されたＣＳＩに基づき、送信パラメータを選択することができる。いくつかの具体例では、処理８４０は、ｅＮＢ３００の処理回路３０６によって実行することができる。
【００９５】
送信パラメータは、ＵＥ１０２において受信されてもよい。送信パラメータは、サービングセルのｅＮＢ１０４などのｅＮＢ１０４の１つによって設定又は送信されてもよい。従って、送信モードを示すｅＮＢ１０４の決定は、先に説明したＣＳＩレポートに含まれる情報に少なくとも部分的に基づくものであってもよい。
【００９６】
いくつかの具体例では、送信パラメータは、選択されたＣＳＩプロセスの１つについて計算されたＣＳＩにおけるプリコーディングマトリクスインジケータに基づくｅＮＢの送信アンテナのためのプリコーディングウェイトを含む。
【００９７】
いくつかの具体例では、送信パラメータは、選択されたＣＳＩプロセスの１つについて計算されたＣＳＩにおけるランクインジケータ（ＲＩ）値に基づくレイヤ数を含む。
【００９８】
いくつかの具体例では、送信パラメータは、選択されたＣＳＩプロセスの１つについて計算されたＣＳＩにおけるチャネル品質インジケータ（ＣＱＩ）値に基づく変調符号化方式（ＭＣＳ）を含む。
【００９９】
セルラネットワークにおいてチャネル状態情報（ＣＳＩ）を報告するための処理を実行するための１つ以上のプロセッサによる実行用の命令を記憶する非一時的なコンピュータ可読記憶媒体がまた、ここに開示される。当該処理は、第１のサブフレームにおいて第１のセルグループから第１の非周期的ＣＳＩリクエストを受信し、第１のサブフレームにおいて、第２のセルグループから第２の非周期的ＣＳＩリクエストを受信し、第１の非周期的ＣＳＩリクエスト及び第２の非周期的ＣＳＩリクエストに対応するリクエストされたＣＳＩプロセスの個数を決定し、リクエストされたＣＳＩプロセスの決定された個数が５より多いとき、リクエストされたＣＳＩプロセスのサブセットを選択し、選択されたＣＳＩプロセスについてＣＳＩを計算し、選択されたＣＳＩプロセスについて計算されたＣＳＩに基づきＣＳＩレポートを生成し、ＣＳＩレポートを第１のセルグループ及び第２のセルグループに送信するようＵＥを設定してもよい。
【０１００】
要約は、読者が技術的開示の性質及び要点を確認することを可能にする要約を求める３７Ｃ．Ｆ．Ｒ．Ｓｅｃｔｉｏｎ  １．７２（ｂ）に従うために提供される。それが請求項の範囲又は意味を限定又は解釈するのに利用されないという理解により提出されている。以下の請求項は、各請求項が別々の実施例としてそれ自体成り立つ詳細な説明に援用される。
【図１】
0006419962.tif 000004
【図２】
0006419962.tif 000005
【図３】
0006419962.tif 000006
【図４】
0006419962.tif 000007
【図５】
0006419962.tif 000008
【図６】
0006419962.tif 000009
【図７】
0006419962.tif 000010
【図８】
0006419962.tif 000011